(57)【特許請求の範囲】
【請求項１】
移動装置により遂行されるコンピュータ実施方法において、
通知サービスで提供されるコマンド収集トピックであって、移動装置により契約された当該コマンド収集トピックにアクセスする段階と、
前記コマンド収集トピックに含まれた遠隔コマンドメッセージであって、前記移動装置により実行されるべきコマンドを識別する当該遠隔コマンドメッセージを検索する段階と、
前記コマンドを前記移動装置により実行できるかどうか決定する段階と、
前記通知サービスで提供される結果トピックスへ前記コマンドに関連した結果メッセージを発行する段階と、
前記コマンドを前記決定に基づいて前記移動装置により実行する段階と、
を含む方法。
【請求項２】
結果メッセージを発行する前記段階は、更に、
前記通知サービスで提供される前記結果トピックを前記遠隔コマンドメッセージにおいて識別する、
ことを含む請求項１に記載のコンピュータ実施方法。
【請求項３】
コマンドを実行できるかどうか決定する前記段階は、更に、
前記コマンドが前記移動装置によりサポートされるかどうか決定し、
前記コマンドが前記移動装置においてイネーブルされるかどうか決定する、
ことを含む請求項１に記載のコンピュータ実施方法。
【請求項４】
前記コマンドは、位置決めコマンドである、請求項１に記載のコンピュータ実施方法。
【請求項５】
前記移動装置の位置を指示する１つ以上の地理的座標を決定する段階と、
前記１つ以上の地理的座標を前記結果メッセージに含ませる段階と、
を更に含む請求項４に記載のコンピュータ実施方法。
【請求項６】
前記コマンド収集トピックは前記移動装置と一意的に関連する、請求項１に記載のコンピュータ実施方法。
【請求項７】
前記結果メッセージを実質的にリアルタイムで発行する段階を更に含む、請求項１に記載のコンピュータ実施方法。
【請求項８】
サーバ上で通知サービスへの接続を確立し、
前記通知サービスで提供されるコマンド収集トピックであって、移動装置より契約された当該コマンド収集トピックにアクセスし、
前記コマンド収集トピックに含まれた遠隔コマンドメッセージであって、実行されるべきコマンドを指示する当該遠隔コマンドメッセージを検索し、
前記コマンドを前記移動装置により実行できるかどうか決定する段階と、
前記決定に基づき前記コマンドを実行する段階と、
を含む動作を遂行するように構成されたプロセッサ電子装置を含む移動装置とを備えたシステム。
【請求項９】
前記プロセッサ電子装置は、更に、
前記通知サービスに対応する結果トピックを前記遠隔コマンドメッセージにおいて識別し、
前記識別された結果トピックに対して結果メッセージを発行する、
ことを含む動作を遂行するように構成される、請求項８に記載のシステム。
【請求項１０】
前記プロセッサ電子装置は、更に、
前記移動装置において前記コマンドがイネーブルされることを決定する、
ことを含む動作を遂行するように構成される、請求項８に記載のシステム。
【請求項１１】
前記コマンドは位置決めコマンドである、請求項８に記載のシステム。
【請求項１２】
前記プロセッサ電子装置は、更に、
前記移動装置に含まれた位置プロセッサから１つ以上の地理的座標を検索し、
前記１つ以上の検索された地理的座標を含む結果メッセージを発生する、
ことを含む動作を遂行するように構成される、請求項１１に記載のシステム。
【請求項１３】
前記プロセッサ電子装置は、更に、
ワイヤレスデータ接続を経て前記通知サービスへの接続を確立する、
ことを含む動作を遂行するように構成される、請求項８に記載のシステム。
【請求項１４】
前記プロセッサ電子装置は、更に、前記コマンドの実行に応答して、前記移動装置のディスプレイにメッセージを提示することを含む動作を遂行するように構成される、請求項８に記載のシステム。
【請求項１５】
前記プロセッサ電子装置は、更に、前記コマンドの実行に応答して、１つ以上のサウンドを含むアラートを、前記移動装置に含まれたスピーカへ出力することを含む動作を遂行するように構成される、請求項８に記載のシステム。
【請求項１６】
前記プロセッサ電子装置は、更に、
前記コマンドの実行に応答して、前記移動装置に含まれた記憶媒体からデータを削除し、
前記移動装置のデフォールト構成に戻す、
ことを含む動作を遂行するように構成される、請求項８に記載のシステム。
【発明の詳細な説明】
【技術分野】
【０００１】
本発明は、移動電話又はメディアプレーヤのような移動装置と遠隔通信し、移動装置が１つ以上の遠隔コマンドの送信を通して機能を遂行するようにさせることに係る。
【０００２】
関連出願の相互参照：本出願は、２００９年５月１日に出願された米国特許出願第１２／４３４，５８６号の優先権の利益を主張する。
【背景技術】
【０００３】
移動装置は、計算、通信、及び娯楽を含む種々様々な用途に適応されている。例えば、移動電話は、ユーザが自由に音声通信を開始及び受信できるようにする。同様に、移動メディア装置は、ユーザが、オーディオ、ビデオ及び電子ゲームを含む電子的娯楽を最も離れた位置まで受けられるようにするために開発されている。更に、移動コンピューティング装置は、ＩＥＥＥ８０２．１１又は３Ｇネットワークのようなワイヤレス接続を通してデータ通信するための遠隔アクセスをユーザに与えるために開発されている。スマートホンのようなある移動装置は、音声通信、娯楽及び移動コンピューティングの組み合わせをサポートする。
【０００４】
移動装置は、携帯サイズであるので、置き忘れ易い。又、移動装置は、しばしば多くの異なる場所へ持ち込まれるので、忘れたり紛失したりし勝ちである。更に、移動装置は、その便宜性及び携帯性のため、しばしば多量の個人的データを記憶するのに使用される。例えば、移動装置は、連絡先情報、電子メールの全アドレス帳、仕事及び個人的事柄に関連したテキストメッセージ、アカウント情報、１つ以上の映像ギャラリー、及び音楽ライブラリーを記憶するのに使用することができる。従って、移動装置を紛失すると、微妙な個人的データを含む相当量のデータが失われることにもなる。
【０００５】
移動装置の所有権は、多数の仕方で示すことができる。例えば、所有者は、移動装置に名前、住所、又は電話番号のような識別情報を表示することができる。移動装置は、物理的に、例えば、ラベルや彫刻により、又は電気的に、例えば、移動装置に記憶された登録情報により、表示することができる。更に、移動電話については、紛失した装置を回復するように試みることができる。例えば、ユーザは、紛失した移動電話にコールして発見者と話し、発見者が返事をすることができる。発見者が正直な人である場合には、移動電話が正当な所有者に戻る。しかしながら、移動装置及びそれらがアクセスするサービスは、高価なものであるから、移動装置は、紛失するか又は意図的に盗まれた場合には、戻らないことがある。
【０００６】
紛失した移動装置に記憶されたデータを危うくしないために、データは、無断アクセスに対して種々の仕方で保護することができる。例えば、データ及び／又はアプリケーションへのアクセスは、システムパスワードのようなログインクレデンシャルにより保護することができる。移動装置は、正しいログイン情報が供給されるまで、いかなるアクセス又は機能も阻止できる。更に、ファイル暗号をセキュリティパスワードにリンクして、正しいログイン情報が供給されるまで、ファイルが暗号化されたままであるようにすることもできる。又、移動装置は、何回ものアクセスの試みが不成功であった後もロックされて、ハッキングを防止することができる。例えば、移動装置は、パスワードの失敗を繰り返すと移動装置がロックされて、それ以上の使用が防止されるように構成することができる。或いは又、サービスプロバイダーに連絡して、例えば、対応アカウントをデアクチベートすることにより、移動装置のそれ以上の使用を不能にすることもできる。
【発明の概要】
【０００７】
移動装置は、例えば、その装置へメッセージを伝送することにより、１つ以上に動作を遂行するように、離れたところから連絡して指令することができる。更に、移動装置を紛失する前に、１つ以上の遠隔コマンドをサポートするように構成することができる。サポートされる遠隔コマンドは、移動装置の所有者により選択的にイネーブルすることができる。又、移動装置は、デフォールトにより１つ以上の遠隔コマンドをサポートすることもできる。
【０００８】
移動装置への１つ以上の遠隔コマンドの伝送は、例えば、ウェブサービスを通してネットワークコンピューティング装置から開始することができる。又、移動装置は、１つ以上の遠隔コマンドの受信を確認し、そしてそれに関連する動作又はインストラクションが実行されたこと又は実行されるであろうことを確認することができる。例えば、発行−契約（ＰｕｂＳｕｂ）フレームワークを使用して具現化される通知サービスを通して移動装置とメッセージをやり取りすることができる。
【０００９】
本発明者は、移動装置の所有者が、移動装置上にメッセージ又はサウンドを提示するか或いは移動装置を消去又は位置決めするのに使用されるコマンドを含めて１つ以上のコマンドを離れたところから移動装置へ発行できるようにする必要性を認識した。更に、遠隔コマンドを確認し及び／又はそれに応答して移動装置から１つ以上のメッセージを受信する必要性も認識した。又、本発明者は、１つ以上の移動装置の遠隔管理を容易にするように構成されたウェブベースのアプリケーションを提供する必要性も認識した。
【００１０】
又、本発明者は、１つ以上の遠隔コマンドに対するサポートを変更又はディスエイブルするように移動装置を再構成できるようにする必要性も認識した。更に、移動装置がコマンドメッセージを自動的に検索する必要性も認識された。又、本発明者は、位置決めコマンド及びメッセージコマンドのような複数の遠隔コマンドを移動装置へ伝送できるようにする必要性も認識した。加えて、本発明者は、例えば、移動装置の所有権が変化するときに、移動装置を遠隔管理アカウントから解離できるようにする必要性も認識した。従って、ここに述べる技術及び装置は、移動装置と遠隔通信して、移動装置が１つ以上の遠隔コマンドの伝送を通して機能を遂行するようにさせるためのアルゴリズムを具現化する。
【００１１】
一般的に、１つの態様において、この技術は、通知サービスでホストされる契約トピックにアクセスし、この契約トピックは、移動装置に対応するものであり、移動装置により実行されるべきコマンドを識別する契約トピックに含まれた遠隔コマンドメッセージを検索し、そのコマンドを移動装置により実行できるかどうか決定し、そのコマンドに関連した結果メッセージを発行し、そしてそのコマンドを前記決定に基づいて移動装置により実行する、ことを含むように具現化することができる。
【００１２】
又、この技術は、結果メッセージの発行が、更に、通知サービスに対応する結果トピックを遠隔コマンドメッセージにおいて識別し、そしてその識別された結果トピックに対して結果メッセージを発行することを含むように具現化することもできる。更に、この技術は、コマンドを実行できるかどうかの決定が、更に、コマンドが移動装置によりサポートされるかどうか決定し、そしてコマンドが移動装置においてイネーブルされるかどうか決定することを含むように具現化することもできる。加えて、この技術は、契約トピックが移動装置に独特に関連されるように具現化することもできる。
【００１３】
又、この技術は、コマンドが位置決めコマンドであるように具現化することもできる。更に、この技術は、移動装置の位置を指示する１つ以上の地理的座標を決定し、そしてその１つ以上の地理的座標を結果メッセージに含ませることを包含するように具現化することもできる。加えて、この技術は、結果メッセージを実質的にリアルタイムで発行することを含むように具現化することもできる。
【００１４】
一般的に、別の態様において、この技術は、コンピュータ読み取り可能な媒体上にエンコードされたコンピュータプログラム製品であって、次のこと、即ち、通知サービスでホストされる契約トピックにアクセスし、この契約トピックは、移動装置に対応するものであり、移動装置により実行されるべきコマンドを識別する契約トピックに含まれた遠隔コマンドメッセージを検索し、そのコマンドを移動装置によりサポートして実行できるかどうか決定し、そしてその決定に基づいてそのコマンドを実行して、移動装置に関連した出力を発生すること、を含む動作をデータ処理装置が遂行するようにさせるよう動作できるコンピュータプログラム製品として具現化することができる。
【００１５】
又、この技術は、次のこと、即ち、通知サービスに対応する結果トピックを遠隔コマンドメッセージにおいて識別し、そしてその識別された結果トピックに対してコマンドの結果を指示するメッセージを発行すること、を含む動作をデータ処理装置が遂行するようにさせるよう更に動作できるように具現化できる。それに加えて、この技術は、移動装置に関連した認証クレデンシャルを通知サービスへ供給することを含む動作をデータ処理装置が遂行するようにさせるよう更に動作できるように具現化できる。更に、この技術は、コマンドが位置決めコマンドであるように具現化することができる。又、この技術は、移動装置の位置を指示する１つ以上の地理的座標を決定し、そしてその１つ以上の地理的座標を結果メッセージに挿入することを含む動作をデータ処理装置が遂行するようにさせるよう更に動作できるように具現化できる。
【００１６】
又、この技術は、ワイヤレスデータ接続を経て通知サービスへの接続を確立することを含む動作をデータ処理装置が遂行するようにさせるよう更に動作できるように具現化できる。加えて、この技術は、コマンドの実行に使用するためのコマンドパラメータを遠隔コマンドメッセージから抽出することを含む動作をデータ処理装置が遂行するようにさせるよう更に動作できるように具現化できる。
【００１７】
一般に、別の態様において、この要旨は、通知サービスをホストするサーバーと、通知サービスへの接続を確立し、通知サービスでホストされる契約トピックにアクセスし、この契約トピックは、移動装置に対応するものであり、実行されるべきコマンドを指示する契約トピックに含まれる遠隔コマンドメッセージを検索し、そしてコマンドを実行することを含む動作を遂行するように構成されたプロセッサ電子装置を含む移動装置とを備えたシステムとして具現化することができる。
【００１８】
又、この技術は、プロセッサ電子装置が、更に、通知サービスに対応する結果トピックを遠隔コマンドメッセージにおいて識別し、そしてその識別された結果トピックに対して結果メッセージを発行することを含む動作を遂行するように構成されるように具現化することができる。加えて、この技術は、プロセッサ電子装置が、更に、移動装置においてコマンドがイネーブルされることを決定することを含む動作を遂行するように構成されるように具現化することができる。更に、この技術は、コマンドが位置決めコマンドであるように具現化することができる。又、この技術は、プロセッサ電子装置が、更に、移動装置に含まれた位置プロセッサから１つ以上の地理的座標を検索し、そしてその１つ以上の検索された地理的座標を含む結果メッセージを発生することを含む動作を遂行するように構成されるように具現化することができる。
【００１９】
又、この技術は、プロセッサ電子装置が、更に、ワイヤレスデータ接続を経て通知サービスへの接続を確立することを含む動作を遂行するように構成されるよう具現化することができる。加えて、この技術は、プロセッサ電子装置が、更に、コマンドの実行に応答して、移動装置のディスプレイにメッセージを提示することを含む動作を遂行するように構成されるよう具現化することができる。更に、この技術は、プロセッサ電子装置が、更に、コマンドの実行に応答して、１つ以上のサウンドを含むアラートを、移動装置に含まれたスピーカへ出力することを含む動作を遂行するように構成されるよう具現化することができる。又、この技術は、プロセッサ電子装置が、更に、コマンドの実行に応答して、移動装置に含まれた記憶媒体からデータを削除し、そして移動装置のデフォールト構成を回復することを含む動作を遂行するように構成されるよう具現化することができる。
【発明の効果】
【００２０】
本明細書に述べる技術は、以下の効果の１つ以上を実現するように具現化することができる。例えば、この技術は、紛失した移動装置の位置を離れたところから要求して取得できるように具現化することができる。又、この技術は、記憶及び転送メッセージフレームワークを使用して１つ以上の遠隔コマンドを移動装置へ伝送できるように具現化することもできる。遠隔コマンドは、メッセージコマンド、位置決めコマンド、サウンドコマンド及び消去コマンドを含むことができる。更に、ＰｕｂＳｕｂモデルを使用して、コマンドアプリケーションと移動装置との間の通信を容易にし、データ通信が利用できるときに移動装置が契約ノードにアクセスできるようにする。加えて、この技術は、情報及び／又は確認メッセージを遠隔コマンドに応答して移動装置から伝送できるように具現化することもできる。又、この技術は、関連移動装置アカウントが生成されるときに移動装置により監視される通信ノードを自動的に生成できるように具現化することもできる。この技術は、更に、遠隔コマンドを移動装置へ配送し、そして移動装置からの応答をほぼリアルタイムで受け取るように具現化することもできる。
【００２１】
１つ以上の具現化を添付図面に詳細に示して、以下に説明する。他の特徴及び効果は、以下の説明、添付図面、及び特許請求の範囲から明らかとなろう。
【図面の簡単な説明】
【００２２】
【図１】移動装置及び通知サーバーを含む規範的なコンピューティング環境を示す。
【図２】移動装置を遠隔管理アカウントにリンクするための規範的プロセスを示すフローチャートである。
【図３】離れたところから移動装置に指令を出す規範的プロセスを示すフローチャートである。
【図４】移動装置により遠隔コマンドを受け取るための規範的プロセスを示すフローチャートである。
【図５】移動装置により遠隔コマンドを実行するための規範的プロセスを示すフローチャートである。
【図６】移動装置により遠隔コマンドを実行するための規範的プロセスを示すフローチャートである。
【図７】移動装置により遠隔コマンドを実行するための規範的プロセスを示すフローチャートである。
【図８】移動装置により遠隔コマンドを実行するための規範的プロセスを示すフローチャートである。
【図９】位置決めコマンドに応答して移動装置により報告される位置を示す規範的なユーザインターフェイスを示す。
【図１０】位置決めコマンドに応答して移動装置により報告される位置を示す規範的なユーザインターフェイスを示す。
【図１１】メッセージコマンドに応答して規範的なメッセージを表示する移動装置を示す。
【図１２】移動装置により遠隔コマンドメッセージを処理するための規範的なプロセスを示すフローチャートである。
【発明を実施するための形態】
【００２３】
明細書及び図面全体にわたって同じ要素は同じ参照記号で指示される。
【００２４】
図１は、移動装置及び通知サーバーを含む規範的なコンピューティング環境を示す。通信ネットワーク１０５は、コンピューティング環境１００においてホストされる装置及びアプリケーションを接続する。通信ネットワーク１０５は、イントラネットのようなローカルエリアネットワーク（ＬＡＮ）及びインターネットのようなワイドエリアネットワーク（ＷＡＮ）を含む任意のタイプのネットワークである。更に、通信ネットワーク１０５は、パブリックネットワーク、プライベートネットワーク、又はその組み合わせである。又、通信ネットワーク１０５は、複数のサービスプロバイダーに関連したワイヤード通信経路及びワイヤレス通信経路を含む任意のタイプ（１つ又は複数）の物理的媒体を使用して具現化することもできる。更に、通信ネットワーク１０５は、種々のプロトコルを使用してフォーマットされるメッセージの伝送をサポートするように構成することもできる。
【００２５】
ユーザステーション１１０は、コンピューティング環境１００において動作するように構成できる。ユーザステーション１１０は、例えば、ウェブブラウザを通して、ウェブイネーブルアプリケーションと通信するように構成できるコンピューティング装置である。例えば、ユーザステーション１１０は、デスクトップ又はワークステーションのようなパーソナルコンピューティング装置であるか、或いはラップトップ又はスマートホンのようなポータブルコンピューティング装置である。ユーザステーション１１０は、入力インターフェイスを備え、これを通して１つ以上の入力を受け取ることができる。例えば、入力インターフェイスは、キーボード、マウス、ジョイスティック、トラックボール、タッチパッド、タッチスクリーン、及びマイクロホンの１つ以上を含むことができる。又、ユーザステーション１１０は、ディスプレイ、１つ以上のスピーカ、及び触覚インターフェイスの１つ以上を含む出力インターフェイスも備え、これを通して、出力を提示することができる。
【００２６】
ユーザステーション１１０は、更に、通信ネットワーク１０５へのネットワーク接続を含むことができる。このネットワーク接続は、ワイヤード又はワイヤレスインターフェイスを通して具現化することができ、そして通信ネットワーク１０５を経てユーザステーション１１０と１つ以上の他のコンピューティング装置との間の両方向通信をサポートすることができる。又、ユーザステーション１１０は、ウェブイネーブルアプリケーションと通信するためのウェブブラウザ又はカスタムアプリケーションのようなインターフェイスアプリケーションを含む。
【００２７】
アプリケーションサーバー１１５も、コンピューティング環境１００で動作するように構成することができる。アプリケーションサーバー１１５は、１つ以上のアプリケーションをホストするように構成できる任意のコンピューティング装置である。例えば、アプリケーションサーバー１１５は、サーバー、ワークステーション、又はパーソナルコンピュータである。ある具現化において、アプリケーションサーバー１１５は、１つ以上の位置に配置された例えばサーバーのようなコンピューティング装置の集合として構成することができる。アプリケーションサーバー１１５は、入力インターフェイスを備え、これを通して１つ以上の入力を受け取ることができる。例えば、入力インターフェイスは、キーボード、マウス、ジョイスティック、トラックボール、タッチパッド、タッチスクリーン、及びマイクロホンの１つ以上を含むことができる。又、アプリケーションサーバー１１５は、ディスプレイ、触覚インターフェイス及び１つ以上のスピーカの１つ以上を含む出力インターフェイスも備え、これを通して、出力を提示することができる。
【００２８】
アプリケーションサーバー１１５は、更に、通信ネットワーク１０５へのネットワーク接続を含むことができる。このネットワーク接続は、ワイヤード又はワイヤレスインターフェイスを通して具現化することができ、そして通信ネットワーク１０５を経てアプリケーションサーバー１１５と１つ以上の他のコンピューティング装置との間に両方向通信をサポートすることができる。更に、アプリケーションサーバー１１５は、１つ以上のアプリケーションをホストするように構成できる。例えば、アプリケーションサーバー１１５は、アカウントに関連した１つ以上の移動装置との通信を容易にする遠隔管理アプリケーションをホストするように構成することができる。移動装置及びアプリケーションサーバー１１５は、遠隔管理機能を実行するために遠隔管理フレームワーク内で動作することができる。又、アプリケーションサーバー１１５は、コンピューティングシステム１００に含まれた複数の通信装置間で通信ネットワーク１０５を経て両方向通信をサポートするように構成された通知サービスアプリケーションをホストするように構成できる。例えば、通知サービスアプリケーションは、複数のコンピューティング装置により種々のメッセージを送信及び受信できるようにする。
【００２９】
ある具現化において、通知サービスは、各契約移動装置に対し独特のコマンド収集トピックを生成できる定義されたネームスペースを含むことができる。独特の識別子を使用して、契約移動装置を、指定の番号又はアドレスのような対応するコマンド収集トピックに関連付けることができる。又、契約コマンド収集トピックに関連したユニフォームリソースアイデンティファイア（ＵＲＩ）に独特の識別子を埋め込むこともできる。更に、各コマンドノードが特定の遠隔コマンドタイプに対応するように、１つ以上のコマンドノードをコマンド収集トピックの下に生成することができる。例えば、コマンド収集トピックは、位置決めコマンド、メッセージコマンド、サウンドコマンド、ディレクトリーリスティングコマンド、ファイル検索コマンド、及び消去コマンドの各々に対して個別のコマンドノードを含むことができる。
【００３０】
個別コマンドノードの使用を通して、複数のコマンドを移動装置へ実質的に同時に送信することができる。ある具現化において、複数のコマンドがコマンド収集トピックで受信された場合には、サーバータイムスタンプを比較して実行順序を決定することができる。他の具現化において、コマンド実行順序を、コマンドのタイプに基づいて決定することができる。例えば、消去コマンドが１つ以上の他の遠隔コマンドに関連して受信された場合には、その消去コマンドを最後に遂行することができる。
【００３１】
通知サービスを通して、遠隔管理アプリケーションのようなパブリッシャーは、特定の移動装置に関連したコマンド収集トピックへ遠隔コマンドメッセージを発行することができる。遠隔コマンドメッセージがコマンド収集トピックへ発行されると、通知メッセージを契約移動装置へ送信することができる。移動装置は、次いで、契約トピックにアクセスし、１つ以上の発行メッセージを検索することができる。従って、パブリッシャーと移動装置との間の通信は、減結合することができる。更に、コマンド収集トピックの適当なコマンドノードへ遠隔コマンドメッセージを発行することができる。加えて、遠隔コマンドメッセージを受け取る移動装置は、通知サーバーによりホストされる結果トピックに対する応答を発行することができる。遠隔管理アプリケーションのようなパブリッシャーは、結果トピックに対して契約して、発行された応答メッセージを受け取ることができる。
【００３２】
更に、コンピューティング環境１００は、移動電話１２０、デジタルメディアプレーヤ１２５及びラップトップコンピュータ１３０のような１つ以上の移動装置を含むことができる。コンピューティング環境１００に含まれる各移動装置は、通信ネットワーク１０５への接続を確立するように構成されたネットワークインターフェイスを含むことができる。例えば、移動電話１２０は、通信ネットワーク１０５へのデータアクセスを与えるセルラー（例えば、３Ｇ又は４Ｇ）ネットワーク接続を確立することができる。更に、デジタルメディアプレーヤ１２５は、通信ネットワーク１０５へのＩＥＥＥ８０２．１１（即ち、Ｗｉ−Ｆｉ又はＷＬＡＮ）ネットワーク接続を確立することができる。又、ラップトップコンピュータ１３０は、ＩＥＥＥ８０２．１６（即ち、ワイヤレスブロードバンド又はＷｉＢＢ）及びＩＥＥＥ８０２．１１規格のいずれか又は両方に基づいて通信ネットワーク１０５への接続を確立するように構成することができる。
【００３３】
又、移動装置１２０、１２５及び１３０の各々は、メッセージを発行しそして受信するためにアプリケーションサーバー１１５によりホストされる通知サーバーアプリケーションと通信するように構成することもできる。更に、移動装置１２０、１２５及び１３０の各々は、通知サーバーアプリケーションを通して受信された遠隔コマンドに応答して遠隔管理アプリケーション又は遠隔管理機能を実行するように構成することもできる。ある具現化において、遠隔管理アプリケーションは、移動装置のオペレーティングシステムと一体化することができる。
【００３４】
移動装置は、遠隔コマンドを実行して、１つ以上の関連機能を遂行することができる。例えば、遠隔コマンドは、位置決めコマンド、メッセージコマンド、サウンドコマンド、ディレクトリーリスティングコマンド、ファイル検索コマンド、及び消去コマンドを含むことができる。ある遠隔コマンドは、移動装置から通知を出力するのに使用できる。例えば、サウンドコマンドは、移動装置が聴覚アラートを出力するようにさせる。更に、メッセージコマンドは、テキストベースのメッセージを移動装置のディスプレイ上に提示するのに使用することができる。他のリモートコマンドを使用して、ファイルベースの機能を遂行することができる。例えば、消去コマンドを使用して、移動装置に記憶されたデータの１つ以上のアイテムを削除することができる。又、ディレクトリーリスティングコマンドは、移動装置の記憶装置に関連したファイルディレクトリー構造体の全部又は一部分を識別するデータを移動装置が返送するようにさせる。更に、ファイル検索コマンドを使用して、１つ以上のファイルのコピーを移動装置から検索することができる。更に別のリモートコマンドを使用して、移動装置を監視することができる。例えば、位置決めコマンドは、その位置決めコマンドが実行されるときに移動装置がその位置を示すメッセージを送信するようにさせる。更に、使用コマンドは、コール発信又は受信のような期間中に使用データを識別するメッセージを移動装置が送信するようにさせる。その期間は、予め決定することもできるし、又は使用コマンドにおいて特定することもできる。
【００３５】
更に、移動装置１２０、１２５及び１３０の各々は、入力インターフェイスを備え、これを通して、１つ以上の入力を受け取ることができる。例えば、入力インターフェイスは、キーボード、マウス、ジョイスティック、トラックボール、タッチパッド、キーパッド、タッチスクリーン、スクロールホイール、汎用及び特殊目的ボタン、スタイラス、及びマイクロホンの１つ以上を含むことができる。又、移動装置１２０、１２５及び１３０の各々は、ディスプレイ、１つ以上のスピーカ、及び触覚インターフェイスの１つ以上を含む出力インターフェイスも備え、これを通して、出力を提示することができる。更に、例えば、現在位置の指示のような位置情報を与えるために、移動装置１２０、１２５及び１３０の１つ以上にグローバルポジショニングシステム（ＧＰＳ）プロセッサのような位置インターフェイスを含ませることもできる。ある具現化において、移動装置１２０、１２５及び１３０の１つ以上に含まれた汎用又は特殊目的プロセッサは、例えば、ベースステーション三角法により、位置の推定を行うように構成することができる。
【００３６】
図２は、移動装置を遠隔管理アカウントにリンクするための規範的プロセスを示すフローチャートである。移動装置は、移動装置所有者がアクセスできる遠隔管理アカウントにリンクすることができる。ある具現化において、移動装置は、一度に１つの遠隔管理アカウントにリンクすることしかできない。従って、移動装置と遠隔管理アカウントとの間にリンクを確立するためには、異なる遠隔管理アカウントとの以前のリンクを切断しなければならない。或いは又、移動装置を遠隔管理アカウントにリンクする行動で、異なる遠隔管理アカウントとの以前のリンクを切断させることもできる。ある具現化において、移動装置と、それに対応する遠隔管理アカウントとの間のリンクは、新たな遠隔管理アカウントとのリンクを確立しなくても切断することができる。例えば、移動装置が販売されるか又は新たな所有者へ移管される場合に、移動装置と既存の遠隔管理アカウントとの間のリンクを切断することができる。移動装置は、その後、新たな所有者に関連した遠隔管理アカウントへリンクすることができる。しかしながら、移動装置は、遠隔管理アカウントとリンクされないときには、遠隔管理することができない。
【００３７】
遠隔管理アカウントとのリンクを確立するために、移動装置において遠隔管理アプリケーションを初期化することができる（２０５）。遠隔管理アプリケーションは、移動装置においてオペレーティングシステムの一部分として又は予めインストールされたアプリケーションとして含ませることができる。或いは又、遠隔管理アプリケーションは、ユーザによりダウンロードしインストールすることができる。初期化されると、遠隔管理アプリケーションは、移動装置がそれに対応する遠隔管理サーバーへの接続を確立するようにさせる。
【００３８】
移動装置をリンクすべき遠隔管理アカウント識別するためにアクセス情報を遠隔管理サーバーに与えることができる（２１０）。例えば、遠隔管理アカウントに対応するユーザネーム及びパスワードを、サーバーによるプロンプトに応答して、入力することができる。ユーザネーム及びパスワードは、遠隔管理サーバーによりホストされる遠隔管理アカウントを独特に識別することができる。遠隔管理サーバーによりホストされる特定の遠隔管理アカウントを指示するために独特の識別子を使用することができる。
【００３９】
更に、移動装置を独特に識別する情報を、遠隔管理サーバーにより得ることができる（２１５）。ある具現化において、シリアル番号、電話番号、サブスクライバーアイデンティティモジュール（ＳＩＭ）カード、メディアアクセスコントロール（ＭＡＣ）アドレス、インターナショナルモバイルイクイップメントアイデンティティ（ＩＭＥＩ）、又は他のそのような識別子を使用して、移動装置を識別することができる。他の具現化において、移動装置を識別する情報は、独特の装置識別子（ＵＤＩＤ）であり、これは、移動装置に関連したハードウェア識別子の、例えば、セキュアなハッシュアルゴリズムを使用して発生されたハッシュである。更に、独特な識別子は、移動装置から自動的に得ることもできる。従って、データエントリーエラーを回避することができる。移動装置は、識別されると、遠隔管理アカウントに関連付けることができる（２２０）。
【００４０】
更に、移動装置は、コマンド収集トピックに契約することができる（２２５）。コマンド収集トピックは、移動装置にとって特有のもので、移動装置に意図されたメッセージしかコマンド収集トピックに対して発行されない。又、コマンドチャンネルトピックへのアクセスは、以前に決定された独特の識別子に基づいて通知サービスで認証できる移動装置にしか許可されない。ある具現化において、通知サービスは、遠隔管理サーバーにホストすることができる。他の具現化において、通知サービスは、遠隔管理サーバーから離れた１つ以上のサーバーにホストすることができる。移動装置がコマンド収集トピックに契約すると、通知サービスにより発行されたメッセージを受信するために１つ以上のコマンドノード（又は子ノード）を生成することができる。例えば、コマンド収集トピックは、移動装置が受信できる各タイプの遠隔コマンドメッセージ、例えば、位置決めコマンド、サウンドコマンド、メッセージコマンド、スクリーンロックコマンド、ディレクトリーリスティングコマンド、ファイル検索コマンド、及び消去コマンドに対してコマンドノードを含むことができる。
【００４１】
加えて、移動装置に関連した１つ以上の遠隔管理設定を変更すべきかどうか決定することができる（２３０）。移動装置に関連した遠隔管理機能は、最初に、デフォールト設定に基づいて構成することができる。例えば、遠隔管理コマンドの１つ以上、例えば、消去及びサウンドコマンドは、デフォールトによりイネーブルすることができ、一方、１つ以上の他の遠隔管理コマンド、例えば、位置決めコマンドは、デフォールトによりディスエイブルすることができる。遠隔管理コマンドは、それがイネーブルされない限り、移動装置によって実行されない。従って、離れたところで移動装置から位置情報を得ることができないので、デフォールト移動装置構成において移動装置所有者のプライバシーを保護することができる。更に、ある具現化において、遠隔管理コマンドの１つ以上、例えば、メッセージコマンドを永久的にイネーブルして、移動装置所有者がコマンドをディスエイブルできないようにすることもできる。
【００４２】
移動装置が遠隔管理アカウントに関連付けられるときに、移動装置所有者は、遠隔コマンド設定を再調査するよう促される。移動装置所有者が遠隔コマンド設定を変更しないよう選択した場合には、初期化プロセスを終了することができる。或いは又、移動装置所有者が遠隔コマンド設定を変更するよう選択した場合には、現在遠隔コマンド設定を表示して、移動装置所有者が遠隔管理設定の１つ以上を変更できるようにする（２３５）。例えば、移動装置所有者は、位置決めコマンドをイネーブルする入力を与えて、離れたところから移動装置を位置決めできるようにする。
【００４３】
ある具現化において、オペレーティングシステムのメニューアイテム、例えば、好み又は連絡先を通していつでも遠隔コマンド設定にアクセスすることができる。それとは別に又はそれに加えて、遠隔管理アプリケーションを通して遠隔コマンド設定にアクセスすることができる。遠隔コマンド設定がセットされると、初期化プロセスを終了することができる。
【００４４】
図３は、離れたところから移動装置に指令を出す規範的プロセスを示すフローチャートである。遠隔管理アプリケーションは、遠隔コマンドメッセージを通知サービスへ発行することにより１つ以上のリンクされた移動装置に離れたところから指令を出すように構成することができる。ある具現化において、遠隔管理アプリケーションは、１つ以上のサーバーにホストされるウェブベースアプリケーションである。
【００４５】
遠隔管理アカウントの所有者は、遠隔管理アプリケーションにアクセスしそしてユーザネーム及びパスワードのようなログインクレデンシャルを与えることにより遠隔管理アカウントにログインすることができる（３０５）。遠隔管理アカウントは、そのアカウントにリンクされる移動装置がない場合でも、登録プロセスを通していつでも確立することができる。ある具現化において、例えば、ログイン情報の１つ以上のアイテムを暗号化するか、又はセキュアな接続を確立することにより、ログインプロセスをセキュアなものとすることができる。更に、ある具現化では、遠隔管理アカウントにアクセスするのに、付加的な又は異なるログインクレデンシャルを要求することができる。
【００４６】
遠隔管理アカウントへのアクセスが許可されると、遠隔管理アカウントにリンクされた移動装置のリストを提示することができる（３１０）。移動装置のリストは、遠隔管理アカウントに関連した管理される装置の各々を識別する。各移動装置は、装置を識別するアイコン、装置のタイプ、モデル、シリアル番号、電話番号、及びニックネームの１つ以上を含む１つ以上の情報アイテムを通して独特に識別することができる。更に、移動装置のリストは、装置が現在到達可能であるか又はオンラインであるかを装置ごとに指示することもできる。アカウントに関連した移動装置が消去された場合には、その移動装置は、それをもはや管理できないという指示と共に、移動装置のリストに表示することができる。ある具現化において、移動装置は、例えば、アカウント登録中にアカウントインターフェイスを通して遠隔管理アカウントに関連付けることもできる。
【００４７】
移動装置は、管理される装置のリストから選択することができる（３１５）。例えば、アカウントの所有者は、置き忘れた移動装置を選択することができる。移動装置は、管理される装置のリストに含まれた情報の対応アイコン又はアイテムをクリックすることにより選択することができる。選択された移動装置に対して利用できる１つ以上の遠隔コマンドを提示することもできる（３２０）。ある具現化において、移動装置に対してどの遠隔コマンドがイネーブルされたか識別する指示子と共に全ての遠隔コマンドを提示することができる。他の具現化において、イネーブルされた遠隔コマンドだけが提示される。更に、ある具現化において、１つ以上の遠隔コマンドを、移動装置において実行するために、アカウントレベルで即ち遠隔管理アカウントを通してイネーブルすることもできる。例えば、移動装置及び遠隔管理アプリケーションは、付加的な認証情報を検証できる場合に、遠隔管理アカウントを通して１つ以上の遠隔コマンドをイネーブルできるように構成することができる。加えて、１つ以上の遠隔コマンド、例えば、位置決めコマンドは、装置レベルでしかイネーブルできず、即ち移動装置からしかイネーブルできない。従って、移動装置所有者のプライバシーを保護することができる。
【００４８】
移動装置により実行されるべき遠隔コマンドは、利用可能な遠隔コマンドから選択することができる（３２５）。選択された遠隔コマンドに基づき、遠隔管理アプリケーションは、アカウントの所有者を１つ以上の情報アイテムについて促すことができる。例えば、メッセージコマンドが選択された場合には、遠隔管理アプリケーションは、移動装置に表示されるべきメッセージを与えるようにアカウントの所有者を促すことができる。或いは又、消去コマンドが選択された場合には、遠隔管理アプリケーションは、消去コマンドを移動装置へ送信すべきであることを確認するようにアカウントの所有者を促すことができる。他の遠隔コマンドは、それが選択されたときに、アカウントの所有者を付加的な情報について促すことなく、開始することができる。例えば、位置決めコマンドは、それが選択されるのに応答して開始することができる。
【００４９】
遠隔管理アプリケーションは、選択された遠隔コマンドを発生して通知サービスへ送信することができる。例えば、遠隔管理アプリケーションは、通知サービスへの拡張可能なメッセージング及び存在プロトコル（ＸＭＰＰ）接続を有し、そして移動装置に関連したコマンド収集トピックの対応するコマンドノードへ発行メッセージを送信することができる。通知サービスは、遠隔コマンドを発行すると共に、コマンド収集トピックに契約する移動装置へ通知メッセージを送信することができる。
【００５０】
遠隔コマンドが開始された後に、別のコマンドを発生すべきかどうか決定することができる（３３０）。いかなる数のコマンドを移動装置へ送信することもできる。例えば、移動装置のディスプレイにメッセージを提示するためのメッセージコマンドを送信できると共に、移動装置に通知する可聴アラートを与えるためのサウンドコマンドを送信することができる。しかしながら、消去コマンドが実行された後には、移動装置が再構成されるまでそこに付加的なコマンドを送信することはできない。別のコマンドを発生すべき場合には、そのコマンドが同じ移動装置に意図されたものであるかどうか更に決定することができる（３３５）。同じ移動装置に対して別のコマンドを発生すべき場合には、その移動装置に対して利用可能な遠隔コマンドから遠隔コマンドを選択することができる（３２５）。或いは又、次のコマンドが異なる移動装置に意図されたものである場合には、遠隔管理アカウントに関連した移動装置のリストを提示することができる（３１０）。
【００５１】
別のコマンドが望まれない場合には、遠隔管理アカウントに関連した結果メッセージにアクセスすることができる（３４０）。遠隔コマンドを受信する移動装置は、コマンドが実行されることを指示し且つコマンドによって要求された情報を与える結果メッセージを発行することができる。更に、遠隔管理アカウントは、移動装置が結果メッセージを発行することになる遠隔コマンドで結果トピックを指定することができる。遠隔コマンドメッセージが発行されたときに移動装置がデータネットワークに接続される場合には、それに対応する結果メッセージを、移動装置により、結果トピックに対してリアルタイム又はほぼリアルタイムで発行することができる。或いは又、遠隔コマンドメッセージが発行されたときに移動装置が電源オフされるか又はデータネットワークに接続されない場合には、移動装置がデータネットワークへの接続を確立して遠隔コマンドを実行のための検索する後まで結果メッセージが発行されない。
【００５２】
図４は、移動装置により遠隔コマンドを受け取るための規範的プロセスを示すフローチャートである。移動電話のようなある移動装置は、それらが電源オンされてサービスエリアにあるときに、（ＴＣＰ）接続のような持続的ワイヤレスネットワーク接続を有することができる。デジタルメディアプレーヤのような他の移動装置は、それらがＷｉ−Ｆｉベースステーションのようなアクセスポイントの範囲内にあり且つワイヤレスネットワーク接続がイネーブルされたときしかワイヤレスネットワーク接続をもつことができない。更に、移動装置に対するプッシュサービスは、例えば、バッテリ寿命を保存するためにターンオフすることができる。従って、移動装置は、３０分ごとのような所定の間隔でネットワーク接続を確立して、遠隔管理コマンドを受信するように構成することができる。更に、移動装置が手動コマンドのみに応答して新たなネットワークを確立するように構成される場合に、移動装置は、それでも、遠隔管理のサポートにおいてネットワーク接続を自動的に確立するように構成することができる。例えば、遠隔コマンドメッセージをチェックするために１時間に一度ネットワーク接続を確立し、次いで、切断することができる。従って、移動装置を紛失し、ネットワーク接続を手動でトリガーできない場合でも、移動装置により１つ以上の遠隔管理コマンドを受信することができる。
【００５３】
移動装置は、その移動装置が契約するコマンド収集トピックをホストする通知サービスにアクセスすることができる（４０５）。例えば、移動装置は、通知サービスに関連したＵＲＩにアクセスし、そして認証プロセスを遂行することができる。認証されると、移動装置は、契約したコマンド収集トピックにアクセスすることができる。コマンド収集トピックは、移動装置に独特に関連付けることができ、そして特定タイプのコマンドメッセージを各々受信できる１つ以上のコマンドノードを含むことができる。移動装置は、データネットワーク接続を再確立する際に、例えば、データネットワークアクセスが利用できるエリアにおいて移動装置が最初に電源オンされるときに、通知サービスにアクセスするように構成することができる。更に、移動装置は、契約したコマンドトピックへメッセージが発行されたという通知を受け取るのに応答して通知サービスにアクセスするように構成することができる。
【００５４】
移動装置がコマンド収集トピックにアクセスすると、そのトピックに含まれたコマンドノードの各々をポーリングして、１つ以上の新たな遠隔コマンドメッセージが受け取られたかどうか決定することができる（４１０）。ある具現化において、移動装置は、コマンド収集トピックに含まれた遠隔コマンドメッセージを、移動装置によりキャッシュ記憶された遠隔コマンドメッセージと比較するように構成することができる。遠隔コマンドメッセージがキャッシュに存在しない場合には、移動装置は、メッセージを新たなものとして処理することができる。新たな遠隔コマンドメッセージが受け取られなかった場合には、移動装置は、通知サービスから切断することができる（４１５）。
【００５５】
或いは又、コマンド収集トピックにおいて新たな遠隔コマンドメッセージが検出された場合には、移動装置は、新たな遠隔コマンドメッセージを検索することができる（４２０）。ある具現化において、コマンド収集トピックに２つ以上の新たな遠隔コマンドメッセージが存在する場合には、サーバータイムスタンプ、コマンドメッセージのタイプ又はその組み合わせに基づく順序で遠隔コマンドメッセージを検索することができる。例えば、移動装置は、消去コマンドを最後に検索するように構成することができる。というのは、消去コマンドを実行すると、残りのコマンドの実行が排除されるからである。
【００５６】
遠隔コマンドメッセージは、コマンド及び応答を実行するのに使用されるべき一般的なパラメータ、例えば、サーバータイムスタンプ、結果メッセージを発行すべき結果トピック、及びコマンド識別子を含むことができる。又、特定のコマンドタイプに対して１つ以上のコマンド特有パラメータを含むこともできる。例えば、メッセージコマンドは、表示されるべきメッセージを識別するパラメータを含むことができる。これらパラメータは、描写されたリスト、データフィールド又はキー値対を含むデータ構造体を使用して表現することができる。ある具現化において、サーバータイムスタンプは、ｙｙｙｙ−ＭＭ−ｄｄ‘Ｔ’ＨＨ：ｍｍ：ｓｓ．ＳＳＳ’ＺのフォーマットのＸＭＰＰ標準タイムスタンプである。更に、サーバータイムスタンプは、遠隔コマンドメッセージの送信と、関連コマンドの実行との間の期間を計算するのに使用することができる。
【００５７】
移動装置は、検索された遠隔コマンドメッセージを評価して、その関連コマンドが理解されるかどうか決定することができる（４２５）。例えば、移動装置は、オペレーティングシステムの最新バージョンに関連したコマンド、又は移動装置に含まれていない機能を要求するコマンドコマンドを理解できないことがある。移動装置が、検索された遠隔コマンドメッセージに関連したコマンドを理解しない場合には、移動装置は、コマンドが理解されないことを指示するメッセージを結果トピックへ発行することができる（４３０）。結果トピックは、移動装置に関連した所定の結果トピックであるか、又は遠隔コマンドメッセージにおいて識別される結果トピックである。移動装置は、更に、コマンド収集トピックが新たなコマンドメッセージを含むかどうか決定することができる（４１０）。
【００５８】
検索された遠隔コマンドメッセージに関連したコマンドが理解される場合には、移動装置は、そのコマンドがイネーブルされるかも決定できる（４３５）。例えば、移動装置により実行できるコマンドの１つ以上は、ユーザアクションによるか又はデフォールト設定に基づきディスエイブルすることができる。コマンドがディスエイブルされた場合には、移動装置は、コマンドがディスエイブルされたことを指示するメッセージを結果トピックへ発行することができる（４４０）。移動装置は、更に、コマンド収集トピックが新たなコマンドメッセージを含むかどうか決定することができる（４１０）。
【００５９】
移動装置は、コマンドがイネーブルされたことを決定すると、結果トピックへ確認メッセージ発行することができる（４４５）。結果トピックは、コマンドメッセージにおいて特定することもできるし、又は予め決定された結果トピックでもよい。確認メッセージは、コマンドの結果と、コマンド実行が開始された時間とを指示することができる。又、確認メッセージは、コマンドが実行されることを指示するために、消去コマンド、サウンドコマンド、及びメッセージコマンドのようなあるコマンドに対するコマンド実行の前に、発行することができる。位置コマンドのような他のコマンドについては、コマンドが実行された後に、確認メッセージを発行することができる。例えば、位置コマンドに対応する確認メッセージは、コマンド実行中に発生される、移動装置の位置を識別するデータを含む。
【００６０】
又、移動装置は、遠隔コマンドメッセージにより識別されたコマンドを実行することもできる（４５０）。例えば、サウンドコマンドは、指定の期間中指定の音量で再生される１つ以上のサウンドのような可聴アラートを出力することにより実行することができる。ある具現化において、この可聴アラートは、例えば、コマンドが送信された後の所定時間中遅延させることもできるし、及び／又は１回以上繰り返すこともできる。メッセージコマンドは、移動装置に含まれたディスプレイへテキストのようなメッセージを出力することにより実行することができる。更に、消去コマンドを実行すると、１つ以上のデータアイテムを移動装置から削除することができる。ある具現化において、移動装置の所有者によりデータのタイプ又は消去のレベルを選択することができる。他の具現化において、消去コマンドを実行すると、移動装置をデフォールト状態に復帰させることができる。加えて、位置決めコマンドを実行すると、コマンドが実行される時間に移動装置に利用できる地理的基準情報に基づいて移動装置がその位置を識別するようにさせる。消去コマンドの場合を除いて、コマンドが実行された後に、移動装置は、別の新たなメッセージがコマンド収集トピックに存在するかどうか決定することができる（４１０）。
【００６１】
図５は、移動装置によりサウンドコマンドを実行するための規範的プロセスを示すフローチャートである。移動装置は、可聴アラートを出力すべきであることを示すサウンドコマンドを受け取ることができる（５１０）。上述したように、サウンドコマンドに対応する遠隔コマンドメッセージは、移動装置が契約したコマンド収集トピックのサウンドコマンドノードから検索することができる。更に、移動装置は、サウンドコマンドが移動装置において認識されイネーブルされたと決定することができる。サウンドコマンドが認識もイネーブルもされないと移動装置が決定した場合には、そのコマンドが無視される。
【００６２】
サウンドコマンドに応答して、移動装置は、再生されるべきサウンドを決定することができる（５１５）。ある具現化において、サウンドコマンドは、所定の可聴アラートを再生すべきであることを指示することができる。所定の可聴アラートは、１つ以上の所定のサウンド及び所定の期間によって特徴付けることができる。他の具現化において、サウンドコマンドは、可聴アラートの特性を指定する１つ以上のパラメータ、例えば、再生されるべき１つ以上のサウンド、音量、期間、可聴アラートを繰り返すべきかどうか、及び可聴アラートを連続的に出力すべきか周期的に出力すべきか、を含むことができる。
【００６３】
可聴アラートを表す１つ以上のサウンドは、次いで、移動装置により出力することができる（５２０）。更に、移動装置は、結果メッセージを通知サーバーへ発行することができる（５２５）。結果メッセージは、可聴アラートが出力されたか又は出力されることを指示する結果トピック、例えば、コマンドメッセージにより指定される結果トピックへと発行することができる。ある具現化において、結果メッセージは、１つ以上のデータアイテム、例えば、コマンドが実行された時間及び可聴アラートの特性を含むことができる。
【００６４】
図６は、移動装置によりメッセージコマンドを実行するための規範的プロセスを示すフローチャートである。移動装置は、移動装置のディスプレイにメッセージを提示すべきであることを指示するメッセージコマンドを受け取ることができる（６０５）。例えば、メッセージは、移動装置の返却を調整するのに使用できる連絡先情報を指示することができる。上述したように、メッセージコマンドに対応する遠隔コマンドメッセージは、移動装置が契約したコマンド収集トピックのメッセージコマンドノードから検索することができる。更に、移動装置は、メッセージコマンドが移動装置において認識されイネーブルされたと決定することができる。メッセージコマンドが認識もイネーブルもされないと移動装置が決定した場合には、そのコマンドが無視される。
【００６５】
移動装置は、表示されるべきメッセージを決定することができる（６１０）。例えば、受け取られるメッセージコマンドは、提示されるべきメッセージのテキストを含むことができる。ある具現化において、メッセージコマンドは、フォント、フォントサイズ、テキストカラー、背景及びグラフィックの１つ以上を含むメッセージフォーマットを指定することができる。更に、キャラクタ数又はメッセージサイズのような１つ以上の制約をメッセージに課して、単一のスクリーン上にメッセージを完全に表示できるよう保証すると共に、メッセージコマンドに関連したオーバーヘッドを減少することができる。メッセージコマンドにより識別されるメッセージは、移動装置のディスプレイに提示することができる（６１５）。メッセージは、ディスプレイ上に提示される他の全てのアイテムの上に表示され、メッセージ全体を中断なく見えるようにすることができる。更に、移動装置がロックされるか又はスクリーンセーバーがアクティブである場合でもメッセージを表示することができる。
【００６６】
又、移動装置は、通知サーバーに関連した結果トピックへ結果メッセージを発行することもできる（６２０）。例えば、結果トピックは、メッセージコマンドによって指定することができる。結果メッセージは、移動装置にメッセージが表示されたこと、及びメッセージが表示された時間を指示することができる。更に、結果メッセージは、移動装置に表示されたメッセージをエコーバックすることもできる。メッセージが表示された後、メッセージをキャンセルするための入力を移動装置により受け取ることができる（６２５）。例えば、移動装置が見つかったときに、ボタンプッシュのようなアクションに応答して、メッセージをターンオフすることができる。
【００６７】
図７は、移動装置により消去コマンドを実行するための規範的プロセスを示すフローチャートである。移動装置は、１つ以上のデータアイテムを移動装置から削除すべきであることを指示する消去コマンドを受け取ることができる（７０５）。上述したように、消去コマンドを含む遠隔コマンドメッセージは、移動装置が契約したコマンド収集トピックの消去コマンドノードから検索することができる。更に、移動装置は、消去コマンドが移動装置において認識され且つイネーブルされることを決定することができる。消去コマンドが認識もイネーブルもされないことを移動装置が決定した場合には、コマンドが無視される。
【００６８】
消去コマンドに応答して、移動装置は、コマンド収集トピックからの契約解除を要求することができる（７１０）。契約解除の結果として、コマンド収集トピックに対応するコマンドノードの全メッセージを削除することができる。又、ある具現化において、遠隔管理アカウントの装置リストから移動装置を除去することもできる。他の具現化において、移動装置をもはや管理できないものとして（又はデッド装置として）装置リストに提示することができる。移動装置は、コマンド収集トピックから契約解除する試みが成功であったかどうか決定することができる（７１５）。移動装置がコマンド収集トピックから首尾良く契約解除できない場合には、移動装置は、契約解除要求を繰り返すことができる（７１０）。
【００６９】
移動装置は、コマンド収集トピックから首尾良く契約解除した場合には、結果トピックへ応答を発行することができる（７２０）。この応答は、消去プロセスが開始されたことを指示することができる。更に、この応答は、消去プロセスが開始されたときを指示してもよい。ある具現化において、消去プロセスが開始されたことを指示するため、遠隔管理アプリケーションにより電子メール（ｅ−メール）メッセージを発生することもできる。例えば、消去手順を通知するｅ−メールを、遠隔管理アカウントの所有者に関連したｅ−メールアカウントにアドレスすることができる。応答が発行されると、移動装置は、消去コマンドを実行することができる（７２５）。
【００７０】
ある具現化において、遂行されるべき消去のレベルは、消去コマンドにおいて指定することができる。例えば、移動装置は、それを元の工場設定に戻しそして全ユーザデータを削除するために消去することができる。１つの別の態様では、移動装置は、それを不活性にするために消去し、移動装置がもう一度機能する前にシステムデータを回復しなければならないようにすることができる。更に別の態様では、消去コマンドは、電子メールメッセージ、画像及び連絡先のような、消去されるべき１つ以上のデータタイプを指定することができる。カスタム消去コマンドを使用して、多数のカテゴリーを削除のために指定することができる。消去手順が遂行されると、移動装置は、もはや、コマンド収集トピックに契約せず、従って、付加的な遠隔コマンドを受け取ることができない。
【００７１】
図８は、移動装置により位置決めコマンドを実行するための規範的プロセスを示すフローチャートである。移動装置は、移動装置の現在位置を要求する位置決めコマンドを受け取ることができる（８０５）。上述したように、位置決めコマンドを含む遠隔コマンドメッセージは、移動装置が契約したコマンド収集トピックの位置決めコマンドノードから検索することができる。更に、移動装置は、位置決めコマンドが移動装置において認識され且つイネーブルされることを決定することができる。位置決めコマンドが認識もイネーブルもされないことを移動装置が決定した場合には、コマンドが無視される。
【００７２】
位置決めコマンドを受け取るのに応答して、移動装置は、その現在位置を決定することができる（８１０）。例えば、移動装置は、位置プロセス又はアプリケーションプログラミングインターフェイス（ＡＰＩ）を使用して、その位置を最も正確に記述する利用可能なデータを検索することができる。移動装置は、それがグローバルポジショニングシステム（ＧＰＳ）チップを含む場合には、その現在位置を識別するＧＰＳ座標を検索することができる。移動装置がＧＰＳチップを含まないか、又はＧＰＳ座標が利用できない場合には、移動装置は、他の手段を通してその位置を決定することができる。例えば、移動装置は、それがワイヤレステレコミュニケーションネットワークで通信するように構成された場合には、セルラータワー三角法を使用してその位置を推定することができる。或いは又、移動装置は、ＷｉＦｉ接続を使用して通信するように構成された場合には、最も近いＷｉ−Ｆｉベースステーションによりその位置を推定することができる。又、移動装置は、その位置を決定又は推定するための既知の他の技術を使用することもできる。
【００７３】
又、移動装置は、位置決めコマンドに関連した１つ以上の時間を決定するように構成することもできる（８１５）。例えば、移動装置は、位置決めコマンドが受け取られた時間を決定することができる。更に、移動装置は、位置情報を決定するために位置決めコマンドが処理された時間を決定することができる。
【００７４】
移動装置は、位置情報を決定すると、結果メッセージを結果トピックへ発行することができる（８２０）。結果メッセージは、位置データの１つ以上のアイテムを含むことができる。例えば、結果メッセージは、経度、緯度、垂直方向精度及び水平方向精度のような地理的データを指定するキー値対を含むことができる。更に、結果メッセージは、時間データの１つ以上のアイテムを含むことができる。例えば、結果メッセージは、位置データが検索された時間を指示するタイムスタンプ、及び位置決めメッセージが受け取られた時間を指示するタイムスタンプを含むことができる。従って、位置データの精度は、報告された時間データに少なくとも一部分基づいて評価することができる。
【００７５】
図９は、位置決めコマンドに応答して移動装置により報告される位置を描写する規範的なユーザインターフェイスを示す。このユーザインターフェイス９００は、移動装置に関連したディスプレイを含む任意のディスプレイ装置に提示するように構成することができる。位置決めコマンドに応答して移動装置によって報告された位置を含む領域を描写する地図９０５をユーザインターフェイス９００に提示することができる。ある具現化において、地図９０５は、双方向型であり、地図９０５の縮尺を増加又は減少する入力を受け取るための解像度コントロール９０８を含むことができる。
【００７６】
又、ユーザインターフェイス９００は、移動装置により報告された位置に対応する住所を表示する住所フィールド９１０を含むこともできる。移動装置の報告位置に最も厳密に対応する住所を選択することができる。例えば、移動装置により報告された位置が駐車場又は緑地帯のような既存の住所以外である場合には、その位置に対して得られる最も近くの住所を提示することができる。地図９０５において、移動装置により報告された位置に対応する位置に位置指示子９１５を提示することもできる。更に、位置指示子９１５に関連して凡例９２０を表示することもできる。ある具現化において、凡例９２０は、表示された位置を報告する移動装置を識別することができる。他の具現化において、凡例９２０は、報告された位置のストリートアドレス、場所の名前、又は地理的座標のような地理的基準を示すことができる。
【００７７】
図１０は、位置決めコマンドに対する応答に基づき移動装置の推定位置を描写する規範的なユーザインターフェイスを示す。このユーザインターフェイス１００５は、移動装置に関連したディスプレイを含む任意のディスプレイ装置に提示するように構成することができる。移動装置の推定位置を含む領域を描写する地図１０１０をユーザインターフェイス１００５に提示することができる。ある具現化において、地図１０１０は、双方向型であり、地図１０１０の縮尺を増加又は減少する入力を受け取るための解像度コントロール１０１５を含むことができる。
【００７８】
又、ユーザインターフェイス１００５は、移動装置の推定位置に対応する住所を表示する住所フィールド１０２０を含むこともできる。移動装置の推定位置に最も厳密に対応する住所を選択することができる。例えば、推定位置がＷｉ−Ｆｉベースステーションに基づく場合には、Ｗｉ−Ｆｉベースステーションに関連した住所を住所フィールド１０２０に含ませることができる。地図１０１０にも、位置指示子１０２５を提示することができる。位置指示子１０２５は、関連Ｗｉ−Ｆｉベースステーションの位置のような推定位置を中心とすることができる。又、位置指示子１０２５は、例えば、関連Ｗｉ−Ｆｉベースステーションのおおよその有効範囲に基づいて移動装置を位置決めできるエリアを近似するサイズとすることもできる。更に、位置指示子１０２５に関連して凡例１０３０を表示することもできる。ある具現化において、凡例１０３０は、推定位置を報告する移動装置を識別することができる。他の具現化において、凡例１０３０は、推定位置に対応する住所、場所の名前又は地理的座標のような地理的基準を指示することができる。
【００７９】
図１１は、メッセージコマンドに応答して規範的メッセージを表示する移動装置を示す。デジタルメディアプレーヤ１２５は、タッチスクリーンのようなディスプレイ１１０５を備えている。メッセージを表示するための遠隔コマンドを受け取るのに応答して、デジタルメディアプレーヤ１２５は、ディスプレイ１１０５にメッセージウインドウ１１１０を提示することができる。このメッセージウインドウ１１１０は、デジタルメディアプレーヤ１２５の所有者を識別する連絡先情報のようなテキストメッセージを含むことができる。例えば、デジタルメディアプレーヤ１２５に送信される遠隔コマンドは、「もし見つけたら、８６６．５５５．１２３４のJakeまでお電話下さい」といったテキストメッセージを含むことができる。ある実施形態では、メッセージウインドウ１１１０は、１つ以上の画像、グラフィック、効果、又はリンクを含むことができる。１つ以上の画像、グラフィック、効果、又はリンクは、メッセージコマンドに関連して送信されるコンテンツ、デジタルメディアプレーヤ１２５により検索されるコンテンツ、又はデジタルメディアプレーヤ１２５に記憶されるコンテンツである。メッセージウインドウ１１１０は、カラー及びフォントの配列を使用して提示することができる。更に、メッセージウインドウ１１１０は、そのメッセージウインドウ１１１０を閉じることのできるアクションボタン１１１５を含む。ある具現化において、メッセージウインドウ１１１０は、アクションボタン１１１５が操作されるか又はメッセージの他の入力キャンセル提示が受け取られるまで持続的に表示することができる。加えて、メッセージウインドウ１１１０は、移動装置がロックされても又は移動装置がスクリーンセーバーを表示しても見えるように他のスクリーンコンテンツの上に表示することができる。
【００８０】
図１２は、移動装置により遠隔コマンドメッセージを処理するための規範的なプロセスを示すフローチャートである。最初に、通知サービスでホストされる契約トピックであって移動装置に対応する契約トピックにアクセスすることができる（１２０５）。移動装置により実行されるコマンドを識別する契約トピックに含まれる遠隔コマンドメッセージを検索することができる（１２１０）。更に、移動装置によってコマンドを実行できるかどうか決定することができる（１２１５）。移動装置によりコマンドを実行できると決定されると、コマンドに関連した結果メッセージを発行することができる（１２２０）。更に、決定に基づいて移動装置によりコマンドを実行することができる（１２２５）。ある具現化において、結果メッセージは、コマンド実行の前に、その後に、又はそれに関連して発行することができる。
【００８１】
本開示で述べた技術及び機能的動作は、本開示で述べた構造的手段及びその構造的等効物、又はその組み合わせを含めて、デジタル電子回路、或いはコンピュータソフトウェア、ファームウェア又はハードウェアで具現化することができる。この技術は、１つ以上のプログラム可能なプロセッサ又はコンピュータにより実行するために又はそれらの動作を制御するためにコンピュータ読み取り可能な媒体に有形に記憶された例えばマシン読み取り可能なインストラクションのような１つ以上のコンピュータプログラム製品を使用して具現化することができる。更に、プログラム可能なプロセッサ及びコンピュータは、移動装置に含むこともできるし、又は移動装置としてパッケージすることもできる。
【００８２】
本開示で述べるプロセス及びロジックフローは、データを受け取り、操作し、及び／又は出力するための１つ以上のインストラクションを実行する１つ以上のプログラム可能なプロセッサによって遂行することができる。又、プロセス及びロジックフローは、１つ以上のＦＰＧＡ（フィールドプログラマブルゲートアレイ）、ＰＬＤ（プログラマブルロジック装置）、及び／又はＡＳＩＣ（特定用途向け集積回路）を含めて、プログラム可能なロジック回路により遂行することもできる。任意の種類のデジタルコンピュータのプロセッサを含む汎用及び／又は特殊目的プロセッサを使用して、リードオンリメモリのような不揮発性メモリ、ランダムアクセスメモリのような揮発性メモリ、又はその両方を含むコンピュータ読み取り可能な媒体に記憶されたコンピュータプログラム及び他のプログラムインストラクションを実行することができる。加えて、データ及びコンピュータプログラムは、ハードドライブ、フラッシュドライブ及び光学的記憶装置を含む１つ以上の大量記憶装置から受け取り及びそこへ転送することができる。更に、汎用及び特殊目的のコンピューティング装置及び記憶装置は、通信ネットワークを通して相互接続することができる。通信ネットワークは、ワイヤード及びワイヤレスインフラストラクチャーを含むことができる。通信ネットワークは、更に、パブリック、プライベート、又はその組み合わせでよい。
【００８３】
多数の具現化についてここに開示した。しかし、本発明の精神及び範囲から逸脱せずに種々の変更がなされ得ることを理解されたい。従って、本発明の範囲内で他の具現化も考えられる。
【符号の説明】
【００８４】
１００：コンピューティング環境
１０５：通信ネットワーク
１１０：ユーザステーション
１１５：アプリケーションサーバー
１２０：移動電話
１２５：デジタルメディアプレーヤ
１３０：ラップトップコンピュータ
９００：ユーザインターフェイス
９０５：地図
９０８：解像度コントロール
９１０：住所フィールド
９１５：位置指示子
９２０：凡例
１００５：ユーザインターフェイス
１０１０：地図
１０１５：解像度コントロール
１０２０：住所フィールド
１０２５：位置指示子
１０３０：凡例
１１０５：ディスプレイ
【図１】
0005368630.tif 000002
【図２】
0005368630.tif 000003
【図３】
0005368630.tif 000004
【図４】
0005368630.tif 000005
【図５】
0005368630.tif 000006
【図６】
0005368630.tif 000007
【図７】
0005368630.tif 000008
【図８】
0005368630.tif 000009
【図９】
0005368630.tif 000010
【図１０】
0005368630.tif 000011
【図１１】
0005368630.tif 000012
【図１２】
0005368630.tif 000013